(57)【要約】【課題】マイコンなどの制御回路を通常備えないような電子回路基板において、仕向け地や車種などの仕様を設定できる電子回路基板および電子回路基板を備えた電子機器を提供する。【解決手段】複数の機能が実装された電子回路を有する電子回路基板２に、各機能に対応するようにスイッチ２ｂ１乃至２ｂ５を設ける。そして電子回路基板２を収容した際にスイッチ２ｂ１乃至２ｂ５に対応する位置に孔３ａ乃至３ｅを設けたケース３に収容する。次に、取り付け部材４ａを取り付けネジ４ａ３によって取り付ける。この際に、取り付け部材４ａの取り付けネジ４ａ３用のネジ穴４ａ２が孔３ａに対応する位置に設けられているので取り付けネジ４ａ３によってスイッチ２ｂ１が押圧されてスイッチ２ｂ１に対応する機能が選択される。【選択図】図１
2008034160.tif 000002
【特許請求の範囲】
【請求項１】
外部部材に取り付けられ、電子部品が実装されて複数の機能を有する電子回路基板において、
前記複数の機能が、前記外部部材の固定部によって選択される選択手段を備え、前記複数の機能のうち所定の機能が選択されることによって前記複数の機能のうち選択された機能に固定されることを特徴とする電子回路基板。
【請求項２】
前記外部部材が、請求項１に記載の電子回路基板を収容する筺体であるとともに、前記筺体に前記固定部を備えたことを特徴とする電子機器。
【請求項３】
前記筺体の前記選択手段に対応する位置に孔を設け、前記固定部が、前記孔に挿入されることによって前記選択手段を選択することを特徴とする請求項２に記載の電子機器。
【請求項４】
前記筺体に該筺体を所定の場所に取り付けるための取付手段を備え、
前記固定部は、前記取付手段に設けられたことを特徴とする請求項３に記載の電子機器。
【請求項５】
前記固定部が、前記筺体内に設けられたことを特徴とする請求項２に記載の電子機器。
【発明の詳細な説明】
【技術分野】
【０００１】
本発明は、仕向け地などによって仕様が異なる電子回路基板および電子回路基板を備えた電子機器に関する。
【背景技術】
【０００２】
電子回路基板を備えた電子機器として例えばカーオーディオなどにおいては、仕向け地や搭載する車種などによって電子回路基板に搭載している機能の一部を変更することがある。
【０００３】
このような場合に、従来は異なる仕様毎に回路や部品等を変更した電子回路基板を複数用意していた。異なる仕様毎に回路や部品等を変更した電子回路基板を用意する方法では、複数種類の基板を設計・製造しなければならないため、設計管理や製造管理が煩雑になるという問題があった。
【０００４】
上述した問題に対して、特許文献１の電子機器が提案されている。特許文献１に記載の電子機器は、機器本体のコネクタに嵌合される中継コードのコネクタの空き端子を利用して電源電圧が印加されるコードを分岐させて空き端子に接続する場合と、接続しない場合との空き端子の印加電圧を判別することにより、仕向け地などを制御回路で判定し、仕向け地などに応じた設定を制御回路で自動的に行っている。
【特許文献１】特開平９−８２４３４号公報
【発明の開示】
【発明が解決しようとする課題】
【０００５】
しかしながら、特許文献１に記載の電子機器では、仕向け地の判定や設定などを行うための制御回路を備えていたが、例えばパワーアンプユニットなど制御回路に相当するマイコンなどを通常備えないような機器では適用ができなかった。
【０００６】
そこで、本発明は、例えばマイコンなどの制御回路を通常備えないような電子回路基板において、仕向け地や車種などの仕様を設定できる電子回路基板および電子回路基板を備えた電子機器を提供することを課題とする。
【課題を解決するための手段】
【０００７】
上記課題を解決するために、請求項１記載の発明は、外部部材に取り付けられ、電子部品が実装されて複数の機能を有する電子回路基板において、前記複数の機能が、前記外部部材の固定部によって選択される選択手段を備え、前記複数の機能のうち所定の機能が選択されることによって前記複数の機能のうち選択された機能に固定されることを特徴としている。
【発明を実施するための最良の形態】
【０００８】
以下、本発明の一実施形態にかかる電子回路基板を説明する。本発明の一実施形態にかかる電子回路基板は、複数の機能を外部部材の固定部が選択手段を選択することによって、複数の機能のうち所定の選択された機能に固定している。このようにすることによって、外部部材から選択手段を選択する固定部を設けたために、仕向け地や車種などによる仕様の変更がマイコンなどによる制御回路を用いなくとも可能になり、制御回路を本来備えないような電子回路基板においても容易に１種類の基板で複数の仕様に対応することができる。
【０００９】
また、筺体内に請求項１に記載の電子回路基板を収容した電子機器の筺体に、所定の機能に固定する固定部を備えてもよい。このようにすることによって、電子回路基板外部の部材から複数の機能のうち所定の機能に固定させることができるので、電子機器の所定の機能が選択され固定される。したがって、仕向け地や車種などによる仕様の変更がマイコンなどによる制御回路を用いなくとも可能になり、制御手段を本来備えないような電子回路基板においても容易に１種類の基板で複数の仕様に対応することができる。
【００１０】
また、筺体の選択手段に対応する位置に孔を設け、固定部を、孔に挿入することによって選択手段を選択してもよい。このようにすることによって、電子機器組み立て後に外部から機能の選択を固定することができる。
【００１１】
また、筺体を所定の場所に取り付けるための取付手段を備え、固定部は、取付手段に設けられてもよい。このようにすることによって、電子機器を取り付けることと同時に機能を固定することができる。
【００１２】
また、固定部が、前記筺体内に設けられてもよい。このようにすることによって、電子機器の組み立て時に電子回路基板を組み込んだ時点で機能を固定させることができる。
【実施例１】
【００１３】
本発明の第１の実施例にかかる電子回路基板２を収容した電子機器１を図１を参照して説明する。図１は電子機器１の断面図である。電子機器１は、例えば車両に取り付けられるカーオーディオ機器であり仕向け地や車種などで機能が異なる。電子機器１は、電子回路基板２と、ケース３と、取り付け部材４とを備えている。
【００１４】
電子回路基板２は、抵抗やコンデンサやＩＣなどの電子部品２ａと、スイッチ２ｂ１乃至２ｂ５とを備えており、電子部品２ａおよびスイッチ２ｂ１乃至２ｂ５と電子回路基板２表面に形成された図示しない回路配線パターンから電子機器１の複数の機能を実現するための電子回路が構成されている。
【００１５】
選択手段としてのスイッチ２ｂ１乃至２ｂ５は、電子回路基板２の複数の機能について機能させるか否か、すなわち機能を選択するためのスイッチであり、各機能に対応して設けられている。スイッチ２ｂ１乃至２ｂ５はケース３の外部から接触して押圧されることによって対応する機能が選択される。スイッチ２ｂ１乃至２ｂ５は電子回路基板２の端部や電子部品２ａの設けられていない面などケース３の外部から押圧可能な位置に設けられている。
【００１６】
外部部材、筺体としてのケース３は、電子回路基板２を収容するためのものであり、スイッチ２ｂ１乃至２ｂ５に対応する位置に孔３ａ乃至３ｅが設けられている。
【００１７】
固定部、取付手段としての取り付け部材４は、ケース３の対向する側面にそれぞれ取り付けられる４ａと４ｂとからなり、各々に車両取り付け用のネジ穴４ａ１と４ｂ１が設けられ該取り付け部材４によって電子機器１は車両に取り付けられる。
【００１８】
取り付け部材４ａは、ケース３取り付け時にケース３に設けられた孔３ａに対応する位置にネジ穴４ａ２が設けられており、ネジ穴４ａ２と、ケース３側の孔３ａを貫通するように取り付けられる取り付けネジ４ａ３によってケース３に固定されケースと一体となる。このとき、取り付けネジ４ａ３によってスイッチ２ｂ１が押圧されるため、スイッチ２ｂ１に対応する機能が選択される。
【００１９】
取り付け部材４ｂは、ケース３取り付け時にケース３に設けられた孔３ａに対応する位置に突起部４ｂ２が設けられており、図示しない取り付けネジなどでケース３に取り付けられた際には、突起部４ｂ２によってスイッチ２ｂ５が押圧されるため、スイッチ２ｂ５に対応する機能が選択される。
【００２０】
なお、本実施例においてスイッチ２ｂ２乃至２ｂ４は、ケース外部から押圧されていないため、各スイッチが対応する機能は非選択となっている。
【００２１】
ここで、スイッチ２ｂ１乃至２ｂ５によってどのように電子機器１の機能が選択されるかを図２乃至図５を参照して説明する。
【００２２】
図２は、電子回路基板２上で構成されている電子回路の機能ブロック図である。電子回路基板２上で構成されている電子回路は、前段回路部１１と機能１部１２と機能２部１３と機能３部１４と機能４部１５と機能５部１６と後段回路部１７とから構成されている。
【００２３】
前段回路部１１は機能１部１２乃至機能５部１６に対して動作させるためのＯＮ信号を出力する。
【００２４】
機能１部１２はスイッチ２ｂ１によって選択／非選択が切替えられる機能である。機能２部１３はスイッチ２ｂ２によって選択／非選択が切替えられる機能である。機能３部１４はスイッチ２ｂ３によって選択／非選択が切替えられる機能である。機能４部１５はスイッチ２ｂ４によって選択／非選択が切替えられる機能である。機能５部１６はスイッチ２ｂ５によって選択／非選択が切替えられる機能である。
【００２５】
後段回路部１７は機能１部１２乃至機能５部１６で処理された信号が入力される回路である。
【００２６】
前段回路部１１と機能１部１２乃至機能５部１６との間は上述したスイッチ２ｂ１乃至２ｂ５がそれぞれ接続されている。
【００２７】
図１に示した状態、すなわち、取り付けネジ４ａ３および突起部４ｂ２によってスイッチ２ｂ１および２ｂ５が押圧されている場合は、スイッチ２ｂ１および２ｂ５がともにＯＮ状態になるので、機能１部１２および機能５部１６が選択されている状態となり、前段回路部１１から機能１部１２にＯＮ信号が入力されると、機能１部１２が機能し始め機能１部１２で処理された信号が後段回路部１７に出力され、前段回路部１１から機能５部１６にＯＮ信号が入力されると、機能５部１６が機能し始め機能５部１６で処理された信号が後段回路部１７に出力される。このときスイッチ２ｂ２乃至２ｂ４はＯＦＦであるため機能２部１３乃至機能４部１５は非選択状態となり前段回路部１１からＯＮ信号を出力しても動作しない。すなわち、複数の機能のうち所定の機能を選択して固定手段によって固定している。
【００２８】
本実施例において、スイッチ２ｂ１を非選択状態にするには、例えば、取り付けネジ４ａ３を、ケース３の孔３ａと対応しない位置にネジ止めすればよい。また、スイッチ２ｂ５の場合は、例えば、取り付け部材４ｂに突起部４ｂ２を設けないようにすればよい。また、スイッチ２ｂ２乃至２ｂ４を選択状態にするには、対応するスイッチを押圧するように取り付け部材を形成し取り付ければよい。
【００２９】
スイッチ２ｂ１乃至２ｂ５は、図２のような機能的あるいは回路的位置に限らず、例えば図３や図４のような位置に配置しても良い。図３は、各機能部の後段にスイッチを設けた例である。
【００３０】
図３において、各機能部の後段にスイッチを設けたため、スイッチがＯＦＦの機能部は後段回路部１７へ信号が伝達されないために後段回路部１７からは機能部が無いように見える（非選択状態）。したがって、スイッチがＯＦＦの機能部が実現する機能は電子機器１に無いような動作となる。すなわち、図３の場合はスイッチがＯＮの機能部の機能が選択された状態に固定される。
【００３１】
次に、図４は、機能部に電源または接地の配線にスイッチを設けたものである。図４において、機能１部１２の電源線または接地線のいずれかにスイッチ２ｂ１を接続し、スイッチ２ｂ１をＯＮにして電源供給または接地を行えば、機能１部１２の回路は動作する。すなわち、機能１部１２が実現している機能が選択される。スイッチ２ｂ１をＯＦＦにして電源供給または接地を行わなければ、機能１部１２の回路は動作せず非選択になる。機能１部１２の回路が動作しなければ後段回路部１７からは機能１部１２が無いように見える。したがって、スイッチ２ｂ１をＯＦＦにして電源供給または接地を行わなければ機能１部１２が実現する機能は電子機器１に無いような動作となる。
【００３２】
他の機能部も図４と同様の構成にすることで、各機能部が実現する機能の選択／非選択を切替えることができる。
【００３３】
本実施例によれば、電子回路基板２上に複数の機能の電子回路が構成されている電子機器１において、仕向け地や車種などにより電子回路の機能を選択するために、スイッチ２ｂ１乃至２ｂ５を各機能に対応するように設ける。各スイッチは電子機器１のケース３外部に取り付けられる取り付け部材４ａおよび４ｂから押圧されることで機能が選択される。このようにすることによって、マイコンなどの制御回路が無い電子回路基板や電子機器においても仕向け地や車種毎に異なった仕様を、電子回路基板は共通で、電子機器の組み立て時や取り付け時に容易に変更することができる。さらに、取り付け部材４で固定する際に機能選択が行われるので取り付け後は機能が固定され、使用者には機能選択などを意識させずに済む。
【００３４】
なお、図２乃至図４では前段回路部１１および後段回路部１７は１つのブロックで示したが、１つではなく複数に分かれていてもよい。すなわち、図２において各機能部へのＯＮ信号を出力するブロックは機能部毎にあっても良い。また、図２乃至図４において、後段回路は複数あっても良い。勿論、各機能部からの出力は１つのブロックへ出力するに限らず複数あっても良い。
【実施例２】
【００３５】
次に、第２の実施例にかかる電子機器１´を図５を参照して説明する。なお、前述した第１の実施例と同一部分には、同一符号を付して説明を省略する。
【００３６】
本実施例では第１の実施例でスイッチ２ｂ１乃至２ｂ５を押圧するために用いた取り付け部材４の代わりに、ピン部材４´を用いる。
【００３７】
ケース３に設けられた孔のうち選択したい機能に対応するスイッチ対応した孔にピン部材４´に挿入し固定してスイッチを押圧することで該機能の選択を固定する。
【００３８】
本実施例によれば、電子回路基板２上に電子回路が構成されている電子機器１において、仕向け地や車種などにより電子回路の機能を変更するために、スイッチ２ｂ１乃至２ｂ５を該機能に対応するように設ける。各スイッチは電子機器１のケース３外部から取り付けられるピン部材４´から押圧されることで機能が選択される。このようにすることによって、マイコンなどの制御回路が無い電子回路基板や電子機器においても仕向け地や車種毎に異なった仕様を、電子回路基板は共通で、電子機器の組み立て時や取り付け時に容易に変更することができる。さらに、ピン部材４´で固定する際に機能選択が行われるので電子機器組み立て後は機能が固定され、使用者には機能選択などを意識させずに済む。
【００３９】
なお、上述した実施例において、ピン部材４´はネジ状の部材でも良い。
【００４０】
また、上述した第１および第２の実施例において、非選択の機能のスイッチに対応するケース３に設けられた孔は誤選択防止のためにテープなどで塞いでも良い。
【実施例３】
【００４１】
次に、第３の実施例にかかる電子機器１´´を図６を参照して説明する。なお、前述した第１および第２の実施例と同一部分には、同一符号を付して説明を省略する。
【００４２】
上述した第１および第２の実施例では、電子回路基板２およびケース３は共通で、ケース３の孔に固定部を挿入してスイッチ２ｂ１乃至２ｂ５を押圧することで仕向け地や車種などの仕様に合うような機能構成を選択していたが、本実施例では図６に示すように、ケース３´の形状を異ならせることで機能構成を選択できるようにしている。
【００４３】
ケース３´はケース３´内の底面（電子回路基板２と接する面）に突起３ｆおよび３ｇが形成されている。
【００４４】
また、本実施例においては電子回路基板２のスイッチ２ｂ２および２ｂ３を押圧スイッチではなく、各々が対応する機能部の接地線が接続されている板金２ｂ２´および２ｂ３´となっている。
【００４５】
したがって、突起３ｆが導通性を持つように形成すれば、突起３ｆと接続される板金２ｂ２´が接地されるために板金２ｂ２´が接続されている機能部の回路が動作する。すなわち選択状態となる。板金２ｂ３´は対応する突起が無いために回路が接地されないので回路が動作しない。すなわち非選択状態となる。
【００４６】
突起３ｇは取り付け部材４の取り付けネジ４ａ３や突起部４ｂ２およびピン部材４´に代わってケース内部に設けられたものでありスイッチ２ｂ４を押圧する。スイッチ２ｂ４が押圧されるとスイッチ２ｂ４に対応する機能が選択状態となる。
【００４７】
本実施例によれば、電子回路基板２上に電子回路が構成されている電子機器１において、仕向け地や車種などにより電子回路の機能を変更するために、スイッチ２ｂ２乃至２ｂ４を該機能に対応するように設ける。各スイッチは電子機器１のケース３内部に設けた突起と接触または押圧されることで機能が選択される。このようにすることによって、マイコンなどの制御回路が無い電子回路基板や電子機器においても仕向け地や車種毎に異なった仕様を、電子回路基板は共通で、筐体のみを変更することで、電子機器１の組み立て時や取り付け時に容易に変更することができる。
【００４８】
なお、上述した実施例では機能毎にスイッチを設けていたが、例えば２つの機能が互いに排他的な条件にある場合、すなわち、一方の機能が選択されているときは他方は非選択状態である場合は、２つの機能の出力または電源などを２入力１出力のセレクタにしてその制御端子を外部から切替えるようにしてもよい。
【００４９】
また、上述した実施例には、スイッチを押圧した場合に対応する機能が選択されるようにしていたが、逆に、スイッチを押圧しない場合に対応する機能が選択されるようにしてもよい。
【００５０】
また、上述した実施例では押圧するスイッチや板金を用いていたが、それに限らずジャンパピンなど、電子機器などの組み立て時などに各仕様に応じた組み立てあるいは取り付けを行うことで自動的に機能のＯＮ／ＯＦＦまたは一方／他方の切替えなどが行えるようなものであれば良い。
【００５１】
前述した実施例によれば、以下の電子回路基板が得られる。
【００５２】
（付記１）ケース３に取り付けられ、電子部品２ａが実装されて複数の機能を有する電子回路基板２において、
複数の機能が、ケース３に挿入された取り付けネジ４ａ３によって選択されるスイッチ２ｂ１乃至２ｂ５を備え、複数の機能のうち所定の機能が選択されることによって複数の機能のうち選択された機能に固定されることを特徴とする電子回路基板２。
【００５３】
この電子回路基板２によれば、ケース３にスイッチ２ｂ１乃至２ｂ５を選択する取り付けネジ４ａ３を挿入して設けたために、仕向け地や車種などによる仕様の変更がマイコンなどによる制御手段を用いなくとも可能になり、制御手段を本来備えないような電子回路基板２においても容易に１種類の基板で複数の仕様に対応することができる。
【００５４】
なお、前述した実施例は本発明の代表的な形態を示したに過ぎず、本発明は、実施例に限定されるものではない。すなわち、本発明の骨子を逸脱しない範囲で種々変形して実施することができる。
【図面の簡単な説明】
【００５５】
【図１】本発明の第１の実施例にかかる電子機器の断面図である。
【図２】本発明の第１の実施例にかかる電子回路基板の電子回路の機能ブロック図である。
【図３】図２に示された機能ブロック図とは異なる例の機能ブロック図である。
【図４】図２および図３に示された機能ブロック図とは異なる例の機能ブロック図である。
【図５】本発明の第２の実施例にかかる電子機器の断面図である。
【図６】本発明の第３の実施例にかかる電子機器の断面図である。
【符号の説明】
【００５６】
１        電子機器
２        電子回路基板
２ｂ１〜２ｂ５   スイッチ（選択手段）
２ｂ２´         板金（選択手段）
２ｂ３´         板金（選択手段）
３        ケース（筺体、外部部材）
３ａ〜３ｅ              孔
３ｆ、３ｇ              突起（固定部）
４ａ      取り付け部材（固定部、取付手段）
４ａ３    取り付けネジ（固定部）
４ｂ      取り付け部材（固定部、取付手段）
４ｂ２    突起部（固定部）
４´      ピン部材（固定部）
【図１】
2008034160.tif 000003
【図２】
2008034160.tif 000004
【図３】
2008034160.tif 000005
【図４】
2008034160.tif 000006
【図５】
2008034160.tif 000007
【図６】
2008034160.tif 000008